(57)【要約】【課題】操作性の良好なポンプ付き容器の提供を目的とする。【解決手段】容器本体１内に収容され、該容器本体１内に収納された揚液ポンプ２により吸い出された溶液を貯留可能な受け皿部３を備えて構成する。【選択図】　図１
2004001879.tif 000002
【特許請求の範囲】
【請求項１】
容器本体内に収容され、該容器本体内に収納された揚液ポンプにより吸い出された溶液を貯留可能な受け皿部を備えたポンプ付き容器。
【請求項２】
前記揚液ポンプは容器本体から上方に引き出される直管状引出部を備えるとともに、該直管状引出部の上端には、側方に向けて開口する吐出口が設けられ、
かつ、前記受け皿部が前記直管状引出部の周縁からフランジ状に形成される請求項１記載のポンプ付き容器。
【請求項３】
容器本体内に収容され、該容器本体内の溶液を吸い出す揚液ポンプの吐出先端部に装着するポンプ付き容器の吐出先端部へのアタッチメントであって、
前記揚液ポンプの吐出先端部に装着可能で、上端近傍に吐出口を開設した溶液導管部と、
前記吐出口の下方において溶液導管部の外周全周に形成されるフランジ状の受け皿部とを有してなるポンプ付き容器の吐出先端部へのアタッチメント。
【請求項４】
前記溶液導管部が揚液ポンプの吐出先端部に着脱自在な請求項３記載のポンプ付き容器の吐出先端部へのアタッチメント。
【発明の詳細な説明】
【０００１】
【発明の属する技術分野】
本発明は、ポンプ付き容器、およびこれに使用可能なアタッチメントに関するものである。
【０００２】
【従来の技術】
シャンプー等の液体洗剤を収容するポンプ付き容器としては、例えば特開平８−１１９６０号公報に記載されたものが知られている。この従来例において、筒状の容器本体内には容器本体内の液体洗剤を吸い出す揚液ポンプが収容される。揚液ポンプは先端部が容器本体から引き出された後、側方に折り曲げられ、該先端部を押しつけることにより液体洗剤は折り曲げ部先端の吐出口から流出する。
【０００３】
【発明が解決しようとする課題】
しかし、上述した従来例において、液体洗剤等を使用する場合には、吐出口の近傍にスポンジ等を保持した状態で別途揚液ポンプの頂部を押しつける操作が必要となるために、両手による操作が必要で、例えば、片手に食器等を持った状態では操作しにくいという欠点がある。
【０００４】
本発明は、以上の欠点を解消すべくなされたものであって、操作性の良好なポンプ付き容器の提供を目的とする。
【０００５】
【課題を解決するための手段】
本発明によれば上記目的は、
容器本体１内に収容され、該容器本体１内に収納された揚液ポンプ２により吸い出された溶液を貯留可能な受け皿部３を備えたポンプ付き容器を提供することにより達成される。
【０００６】
本発明において、ポンプ付き容器には、揚液ポンプ２を操作して容器本体１から吸い出された溶液を受けることのできる受け皿部３が設けられる。受け皿部３を設けることにより、例えば、食器洗浄用のスポンジ７等で直接揚液ポンプ２に押下操作を加え、スポンジ７等に洗剤等の溶液を吸わせる操作を行った場合であっても、スポンジ７に吸収されなかった残余の溶液は、受け皿部３に貯留され、容器外壁を伝って下方にたれて容器を汚すことがなくなる。
【０００７】
この結果、従来例のように、片手でスポンジ７等をもって揚液ポンプ２の吐出口５の下方に保持し、反対方の手で揚液ポンプ２を操作する必要はなく、片手でスポンジ７を揚液ポンプ２に押しつけるだけで必要量の洗剤（溶液）をスポンジ７に吸わせることができるために、使い勝手が向上する。
【０００８】
上記受け皿部３を備えたポンプ付き容器は、揚液ポンプ２の吐出先端部２ａにアタッチメントＢを固定することにより形成可能であり、この場合、アタッチメントＢは、
揚液ポンプ２の吐出先端部２ａに装着可能で、上端近傍に吐出口５を開設した溶液導管部６と、
前記吐出口５の下方において溶液導管部６の外周全周に形成されるフランジ状の受け皿部３とを有して構成することができる。
【０００９】
この場合、溶液導管部６を吐出先端部２ａに対して着脱可能に形成すると、既設の容器にアタッチメントＢを装着するだけで、容器の操作性を向上させることができる。
【００１０】
【発明の実施の形態】
図１、２に洗剤の容器として構成された本発明の実施の形態を示す。この実施の形態において、ポンプ付き容器は、筒形状の容器本体１内に収納される揚液ポンプ２を備える。揚液ポンプ２は、直管状の吐出先端部２ａを有し、該吐出先端部２ａを容器本体１内方に押し込むことにより、容器本体１内の液体洗剤（溶液）を引き出すことができる。
【００１１】
Ｂは揚液ポンプ２の吐出先端部２ａに固定されるアタッチメントであり、例えば、合成樹脂材を射出成型して形成される。このアタッチメントＢは、直管状の溶液導管部６を備え、該溶液導管部６の下端を吐出先端部２ａに固定することによって直管状引出部４が構成される。
【００１２】
溶液導管部６は、上端が閉塞された中空パイプ体であり、その外周部には、初期出荷時に直管状引出部４を容器本体１の所定位置に固定しておくために容器本体１側の雌ねじ部１ａにねじ込み可能なねじ条６ａが形成される。また、溶液導管部６の上端部側壁には中空部６ｂに連通する吐出口５が複数形成される。吐出口５は、溶液導管部６の中心線に対して放射状に所定ピッチで配置される。
【００１３】
さらに、上記アタッチメントＢの溶液導管部６には受け皿部３が一体に形成される。受け皿部３は、溶液導管部６の外周壁からフランジ状に張り出して平面視円形に形成され、上記吐出口５の下方に配置される。スポンジ７等で溶液導管部６の頂部を押し下げた際に吐出口５から噴出する液体洗剤を直接受けることができるように、受け皿部３は吐出口５の直下に配置するのが望ましく、また、スポンジ７に吸われずに受け皿部３に流れ出た液体洗剤が受け皿部３外に妄りに流出しないように、受け皿部３は外周縁部が高い、概ね上方に凹な曲率面として形成される。
【００１４】
したがってこの実施の形態において、アタッチメントＢを固定した状態で溶液導管部６の頂部、および受け皿部３上面をスポンジ７により押し下げると、容器本体１内の液体洗剤は、揚液ポンプ２により押し出されて溶液導管部６の中空部６ｂ内に導かれた後、吐出口５から溢れ出てスポンジ７に吸われ、スポンジ７に吸収されなかった液体洗剤は受け皿部３に貯留される。このため、片手での操作が可能となり、片手が洗い物等でふさがっていても使用することができる。
【００１５】
また、図２（ａ）において鎖線で示すように、溶液導管部６の頂部に装着可能なキャップ体８を用意し、該キャップ体８により吐出口５を閉塞した場合には、容器本体１への水の流入を防止して受け皿部３を洗浄することができる。
【００１６】
なお、図１、２に示すアタッチメントＢは全体が一体に形成されているが、図３に示すように、複数部品を連結、固定して形成することもできる。この変形例において、アタッチメントＢは、中空部６ｂが上方に開放され、上端縁にフランジ状の受け皿部３を一体形成した主体部９と、主体部９の上端面との間に適宜間隔を隔てて固定され、上記主体部９の中空部６ｂを上方から覆うカバー部１０とからなる。カバー部１０は所定間隔をおいて下方に突出する固定脚１０ａを備え、固定脚１０ａを主体部９の頂部に固定することにより、アタッチメントＢの上部には、カバー部１０を天井壁として側方に開口される複数の吐出口５が形成される。
【００１７】
さらに、以上においては、予め製造されたアタッチメントＢを吐出端部に取り外し不能に固定して容器を構成する場合を示したが、揚液ポンプ２の吐出端部に受け皿部３を一体に形成することも可能である。また、アタッチメントＢの連結部を揚液ポンプ２の吐出先端部２ａに容易に着脱できる形状とした場合には、必要に応じて既設の容器に装着することが可能になる上に、不要の際には、取り外して通常の使用方法をすることが可能となり、融通性が向上する。
【００１８】
図４に本発明の他の実施の形態を示す。なお、この実施の形態において上述した実施の形態と同一の構成要素は図中に同一の符号を付して説明を省略する。この実施の形態において、アタッチメントＢは、図４（ａ）に示すように前述した主体部９のみからなる。溶液導管部６は上下端が開放する中空パイプ体であり、揚液ポンプ２の吐出先端部２ａに固定される下端から上端の吐出口５まで中空部６ｂが垂直方向に連通する。内部にスポンジを挿入可能な程度のすり鉢状に形成される受け皿部３は溶液導管部６と射出成形により一体形成され、隆起する底壁中心部分には溶液導管部６上端の吐出口５が鉛直方向に開口される。
【００１９】
したがってこの実施の形態において、アタッチメントＢを吐出先端部２ａに固定した状態で溶液導管部６の頂部、および受け皿部３上面をスポンジ７により押し下げると、揚液ポンプ２により容器本体１から押し出された液体洗剤は、中空部６ｂを通って吐出口５からそのまま上方に噴出してスポンジ７に吸収される。このようにスポンジ７の押圧方向に対向して液体洗剤を噴出させることにより、液体洗剤がスポンジ７の内部まで浸透するため、洗浄時の泡立ちを向上させることができる。
【００２０】
なお、図４（ａ）に示すように吐出口５に向かって中空部６ｂを徐々に拡径させることにより、溶液ポンプ２の溶液押し出し力が強く、溶液が容器本体１内から吐出口５まで直線状に急速に移動する場合にも、吐出口５からの噴出力を抑えることができるとともに、溶液をスポンジ７に広く拡散させることができる。
【００２１】
図４（ｂ）に上記他の実施の形態の変形例を示す。この変形例において、溶液導管部６は、受け皿部３上面から上方に突出する突出部６ｃを上端部に有し、該突出部６ｃの先端に上方に向かって吐出口５を開口させて形成される。突出部６ｃは上方に行くにつれて外径が徐々に縮径する截頭円錐形状であり、中空部６ｂは、吐出先端部２ａに固定される下端から上端の吐出口５まで内径を均一にして連通する。
【００２２】
したがってこの変形例において、突出部６ｃの頂部にスポンジ７を押し当てて溶液導管部６を下方に押し下げると、突出部６ｃの先端がスポンジ７に突き刺さり、あるいはスポンジ７が突出部６ｃを中心として窪むように変形し、突出部６ｃ先端の吐出口５から噴出する液体洗剤は、全量が確実にスポンジ７に吸収され、外部に漏れることはない。また、吐出口５が開口する突出部６ｃの先端部がスポンジ７内部に差し込み可能に鋭角に形成されることにより、溶液導管部６の押下圧力を利用して突出部６ｃがスポンジ７内部に差し込まれ、この差し込み先端から液体洗剤がスポンジ７内部に直接注入されるため、洗浄時の泡立ちを向上させることができる。
【００２３】
さらに、この変形例においては、中空部６ｂの内径が長手方向に均一であるため、溶液ポンプ２の溶液押し出し力がそのまま吐出口５からの噴出力となることから、溶液押し出し力を高めることによりスポンジ７の内部に液体洗剤をより深く浸透させることができる。
【００２４】
なお、図４（ｂ）においては、吐出口５は突出部６ｃ上端から上方に向かってのみ開口するが、突出部６ｃの錐面に側方に向かって吐出口５を開口させてもよく、この場合には、前述した突出部６ｃがスポンジ７に差し込まれた状態において、スポンジ７内部のより広い領域に液体洗剤を拡散させることができる。
【００２５】
【発明の効果】
以上の説明から明らかなように、本発明によれば、液体洗剤等の取り出しを片手で行うことができるために、操作性が向上する。
【図面の簡単な説明】
【図１】本発明を示す全体図である。
【図２】図１の要部拡大図で、（ａ）はアタッチメントを示す図、（ｂ）は（ａ）の２Ｂ−２Ｂ線断面図である。
【図３】本発明の変形例を示す図で、（ａ）はアタッチメントを示す図、（ｂ）は（ａ）の３Ｂ−３Ｂ線断面図である。
【図４】本発明の他の実施の形態を示す図で、（ａ）はアタッチメントを示す図、（ｂ）は（ａ）の変形例である。
【符号の説明】
１　　　　容器本体
２　　　　揚液ポンプ
２ａ　　　吐出先端部
３　　　　受け皿部
４　　　　直管状引出部
５　　　　吐出口
６　　　　溶液導管部
Ｂ　　　　アタッチメント
【図１】
2004001879.tif 000003
【図２】
2004001879.tif 000004
【図３】
2004001879.tif 000005
【図４】
2004001879.tif 000006